(57)【要約】【課題】  本発明は、あらゆる産業界の完成品または半製品に対する研磨またはバリ取りを行うのに都合の良い金属および合成樹脂からなるブラシ毛素材、および前記ブラシ毛を基にした研磨工具に関するものである。【解決手段】  本発明のブラシ毛素材は、金属および合成樹脂からなるブラシ毛、前記ブラシ毛に研磨砥粒、ダイヤモンド砥粒、金属砥粒の中の少なくとも一種類を混入させ、たとえば、数本から数千本束ね、バインダーによって固められている。また、本発明の研磨素材は、金属および合成樹脂からなるブラシ毛素材にマイナスイオンを発生する鉱物と、研磨砥粒、金属砥粒、ダイヤモンド砥粒の少なくとも一種類とが混入されている。【選択図】  図１
2005199364.tif 000002
【特許請求の範囲】
【請求項１】
金属からなるブラシ毛と、合成樹脂からなるブラシ毛を混ぜ合わせて１本のブラシ毛とすることを特徴とするブラシ毛素材。
【請求項２】
研磨砥粒、ダイヤモンド砥粒、金属砥粒の中の少なくとも１種類が混入されている金属からなるブラシ毛、および研磨砥粒、ダイヤモンド砥粒、金属砥粒の中の少なくとも１種類が混入されている合成樹脂からなるブラシ毛を束ねて構成されていることを特徴とするブラシ毛素材。
【請求項３】
マイナスイオンを発生する部材からなる砥粒と、研磨砥粒、ダイヤモンド砥粒、金属砥粒の中の少なくとも１種類とが混入されている金属からなるブラシ毛、およびマイナスイオンを発生する部材からなる砥粒と、研磨砥粒、ダイヤモンド砥粒、金属砥粒の中の少なくとも１種類とが混入されている合成樹脂からなるブラシ毛を束ねて構成されていることを特徴とするブラシ毛素材。
【請求項４】
研磨砥粒、ダイヤモンド砥粒、金属砥粒の中の少なくとも１種類がコーティングされている金属からなるブラシ毛、および研磨砥粒、ダイヤモンド砥粒、金属砥粒の中の少なくとも１種類がコーティングされている合成樹脂からなるブラシ毛を束ねて構成されていることを特徴とするブラシ毛素材。
【請求項５】
前記金属および／または合成樹脂からなるブラシ毛の先端部には、マイナスイオンを発生する部材からなる砥粒、研磨砥粒、ダイヤモンド砥粒、金属砥粒の中の少なくとも１種類が混入されている球状、テーパー状、先割れ状、三角形状、四角形状、六角形状、八角形状、楕円形状等の１つが成形されていることを特徴とする請求項１ないし請求項４のいずれか１項に記載されたブラシ毛素材。
【請求項６】
前記金属および／または合成樹脂からなるブラシ毛の断面は、円形状、楕円形状、十字状、クローバ状、三角形状、四角形状、六角形状、八角形状、多角形状等の１つからなることを特徴とする請求項１ないし請求項５のいずれか１項に記載されたブラシ毛素材。
【請求項７】
前記金属および／または合成樹脂からなるブラシ毛は、マイナスイオンを発生する部材からなる砥粒、研磨砥粒、ダイヤモンド砥粒、金属砥粒の中の少なくとも１種類が混入されており、これらの中の同種または異種の少なくとも２本により編まれて１本を構成していることを特徴とする請求項１ないし請求項６のいずれか１項に記載されたブラシ毛素材。
【請求項８】
前記金属および／または合成樹脂からなるブラシ毛は、マイナスイオンを発生する部材からなる砥粒、研磨砥粒、ダイヤモンド砥粒、金属砥粒の中の少なくとも１種類が混入されており、これらの同種または異種の少なくとも２本により編まれて１本を構成し、前記編まれたブラシ毛を複数本束ねたことを特徴とする請求項１ないし請求項７のいずれか１項に記載されたブラシ毛素材。
【請求項９】
前記金属および／または合成樹脂からなるブラシ毛には、動物繊維または植物繊維からなるブラシ毛の少なくとも１種類が混毛されていることを特徴とする請求項１ないし請求項８のいずれか１項に記載されたブラシ毛素材。
【請求項１０】
前記金属および／または合成樹脂からなるブラシ毛は、複数本がバインダーによって固められていることを特徴とする請求項１ないし請求項９のいずれか１項に記載されたブラシ毛素材。
【請求項１１】
前記金属および／または合成樹脂からなるブラシ毛は、自己修復ブラシ毛、生分解性ブラシ毛、あるいは形状記憶ブラシ毛の少なくとも１つからなり、前記研磨砥粒、金属砥粒、ダイヤモンド砥粒、およびマイナスイオンを発生する部材からなる砥粒の中の少なくとも１つが混入されていることを特徴とする請求項１ないし請求項１０のいずれか１項に記載されたブラシ毛素材。
【請求項１２】
請求項１ないし請求項１１のいずれか１項に記載された金属および合成樹脂からなるブラシ毛素材を用いてチャネル型、植え込み型、ロール型、コイル型、カップ型、ねじり型、筒型、傘型、ホイール型、ディスク型の１つに成形されていることを特徴とする研磨ブラシ。
【請求項１３】
請求項１ないし請求項１２のいずれか１項に記載された金属および合成樹脂からなるブラシ毛素材をバインダーによって固めることにより、板状、フィルム状、シート状、ディスク状、パイプ状の１つに成形されていることを特徴とする研磨ブラシ。
【発明の詳細な説明】
【技術分野】
【０００１】
本発明は、航空機、自動車、車両、電機、電子等、あらゆる産業界の完成品または半製品に対する研磨またはバリ取りを行うのに都合の良い金属および合成樹脂からなるブラシ毛素材または、前記金属および合成樹脂からなるブラシ毛素材を基にした研磨ブラシに関するものである。
【０００２】
本発明は、特に、金属および合成樹脂からなるブラシ毛素材にマイナスイオンを発生する砥粒、研磨砥粒、金属砥粒、ダイヤモンド砥粒等、あるいは、自己修復部材（たとえば、ポリフェニレン・エーテル）、生分解性部材、形状記憶部材（たとえば、ニッケルチタン系合金）を混入または付着させることにより、研磨性に優れた金属および合成樹脂からなるブラシ毛素材、および研磨ブラシに関するものである。
【背景技術】
【０００３】
従来のブラシは、たとえば、２本の芯材または４本の芯材にブラシ毛素材を挟み込んだ後、ブラシ毛の部分をねじることにより作製されるねじりブラシがある。また、前記ねじりブラシの例は、たわし、歯間ブラシ、マスカラブラシ等がある。また、従来のブラシ毛素材には、消臭、殺菌、人体に対する影響を考慮したものがなかった。
【０００４】
たとえば、特開２００３−１８１７６９号公報に記載されている研磨材は、合成樹脂のブラシ素材に、ダイヤモンド砥粒、研磨砥粒、金属砥粒等の１種類または２種類以上が混入されている。特開２００３−１２７０６７号公報に記載されている研磨処理具は、研磨素材が繊維、皮、ゴム、合成樹脂、または金属であり、その表面にダイヤモンド砥粒、金属砥粒、研磨砥粒、ガラス砥粒の１種類または２種類以上が形成されている。
【０００５】
【特許文献１】特開２００３−１８１７６９号公報
【特許文献２】特開２００３−１２７０６７号公報
【発明の開示】
【発明が解決しようとする課題】
【０００６】
従来の金属からなるブラシ毛素材は、金属メーカーで、合成樹脂からなるブラシ毛は、合成樹脂メーカーでそれぞれ製造されていた。そして、前記金属からなるブラシ毛素材または合成樹脂からなるブラシ毛素材は、ブラシメーカーによって購入され、研磨ブラシを製造販売していた。
【０００７】
しかし、前記金属メーカーまたは合成樹脂メーカーが製造している素材は、研磨ブラシとして加工しても、ユーザの完成品または半製品に対する研磨またはバリ取りに、必ずしも、適ったものにならない。また、前記メーカーで製造したブラシ毛素材は、その回転数を早めたり、あるいは押し圧を高くすることで、折れることがあり、作業者に危険を及ぼすことがあった。
【０００８】
以上のような課題を解決するために、本発明は、金属および合成樹脂からなるブラシ毛を所望の量混ぜることにより、使用目的に合った硬さのブラシ毛素材および研磨ブラシを提供することを目的とする。また、本発明は、前記ブラシ毛に研磨砥粒、金属砥粒、ダイヤモンド砥粒、マイナスイオンを発生する部材からなる砥粒を混入またはコーティングすることにより作製されるブラシ毛素材および研磨ブラシを提供することを目的とする。
【課題を解決するための手段】
【０００９】
（第１発明）
第１発明のブラシ毛素材は、金属からなるブラシ毛と、合成樹脂からなるブラシ毛を混ぜ合わせて１本のブラシ毛とすることを特徴とする。
【００１０】
（第２発明）
第２発明のブラシ毛素材は、研磨砥粒、ダイヤモンド砥粒、金属砥粒の中の少なくとも１種類が混入されている金属からなるブラシ毛、および研磨砥粒、ダイヤモンド砥粒、金属砥粒の中の少なくとも１種類が混入されている合成樹脂からなるブラシ毛を束ねて構成されていることを特徴とする。
【００１１】
（第３発明）
第３発明のブラシ毛素材は、マイナスイオンを発生する部材からなる砥粒と、研磨砥粒、ダイヤモンド砥粒、金属砥粒の中の少なくとも１種類とが混入されている金属からなるブラシ毛、およびマイナスイオンを発生する部材からなる砥粒と、研磨砥粒、ダイヤモンド砥粒、金属砥粒の中の少なくとも１種類とが混入されている合成樹脂からなるブラシ毛を束ねて構成されていることを特徴とする。
【００１２】
（第４発明）
第４発明のブラシ毛素材は、研磨砥粒、ダイヤモンド砥粒、金属砥粒の中の少なくとも１種類がコーティングされている金属からなるブラシ毛、および研磨砥粒、ダイヤモンド砥粒、金属砥粒の中の少なくとも１種類がコーティングされている合成樹脂からなるブラシ毛を束ねて構成されていることを特徴とする。
【００１３】
（第５発明）
第５発明のブラシ毛素材において、金属および／または合成樹脂からなるブラシ毛の先端部には、マイナスイオンを発生する部材からなる砥粒、研磨砥粒、ダイヤモンド砥粒、金属砥粒の中の少なくとも１種類が混入されている球状、テーパー状、先割れ状、三角形状、四角形状、六角形状、八角形状、楕円形状等の１つが成形されていることを特徴とする。
【００１４】
（第６発明）
第６発明のブラシ毛素材において、金属および／または合成樹脂からなるブラシ毛の断面は、円形状、楕円形状、十字状、クローバ状、三角形状、四角形状、六角形状、八角形状、多角形状等の１つからなることを特徴とする。
【００１５】
（第７発明）
第７発明のブラシ毛素材において、金属および／または合成樹脂からなるブラシ毛は、マイナスイオンを発生する部材からなる砥粒、研磨砥粒、ダイヤモンド砥粒、金属砥粒の中の少なくとも１種類が混入されており、これらの中の同種または異種の少なくとも２本により編まれて１本を構成していることを特徴とする。
【００１６】
（第８発明）
第８発明のブラシ毛素材において、金属および／または合成樹脂からなるブラシ毛は、マイナスイオンを発生する部材からなる砥粒、研磨砥粒、ダイヤモンド砥粒、金属砥粒の中の少なくとも１種類が混入されており、これらの同種または異種の少なくとも２本により編まれて１本を構成し、前記編まれたブラシ毛を複数本束ねたことを特徴とする。
【００１７】
（第９発明）
第９発明のブラシ毛素材において、金属および／または合成樹脂からなるブラシ毛には、動物繊維または植物繊維からなるブラシ毛の少なくとも１種類が混毛されていることを特徴とする。
【００１８】
（第１０発明）
第１０発明のブラシ毛素材において、金属および／または合成樹脂からなるブラシ毛は、複数本がバインダーによって固められていることを特徴とする。
【００１９】
（第１１発明）
第１１発明のブラシ毛素材において、金属および／または合成樹脂からなるブラシ毛は、自己修復ブラシ毛、生分解性ブラシ毛、あるいは形状記憶ブラシ毛の少なくとも１つからなり、前記研磨砥粒、金属砥粒、ダイヤモンド砥粒、およびマイナスイオンを発生する部材からなる砥粒の中の少なくとも１つが混入されていることを特徴とする。
【００２０】
（第１２発明）
第１発明ないし第１１発明のいずれかに記載された金属および合成樹脂からなるブラシ毛素材は、チャネル型、植え込み型、ロール型、コイル型、カップ型、ねじり型、筒型、傘型、ホイール型、ディスク型の１つに成形されていることを特徴とする。
【００２１】
（第１３発明）
第１発明ないし第１１発明のいずれかに記載された金属および合成樹脂からなるブラシ毛素材は、バインダーによって固められることにより、板状、フィルム状、シート状、ディスク状、パイプ状の１つに成形されていることを特徴とする。
【発明の効果】
【００２２】
本発明によれば、金属および合成樹脂からなるブラシ毛素材を適度に束ねることにより、所望の硬さに作製することができ、ユーザが望む研磨およびバリ取りが可能になる。
【００２３】
本発明によれば、金属および合成樹脂からなるブラシ毛素材に、研磨砥粒、金属砥粒、ダイヤモンド砥粒、あるいはマイナスイオンを発生する部材からなる砥粒を混入またはコーティングさせることにより、完成品または半製品の研磨またはバリ取りが所望の通り行われるとともに、研磨等の作業環境や作業者の健康を考慮するだけでなく、消臭および／または殺菌効果、あるいは人体に対して良い影響を与えることができるブラシ毛素材または研磨ブラシを提供することができる。
【発明を実施するための最良の形態】
【００２４】
（第１発明）
第１発明のブラシ毛素材は、たとえば、鉄、銅、燐青銅、ステンレス、ピアノ線、チタン、ニッケル、アルミニウム合金、マグネシウム、カーボンナノワイヤー等の金属からなるブラシ毛と、ポリアミド系合成高分子化合物、ポリエステル、ポリイミド、ポリアミド、ポリモンド、ポリプロピレン、ポリスチレン、ポリカーボネート、コーネクス、カーボンナノ繊維、ポリ塩化ビニル、ポリブチレン、ポリアート、ポリビニルグチラール、ボロンポリマー等の合成樹脂からなるブラシ毛を混ぜ合わせて１本となっている。
【００２５】
（第２発明）
第２発明の金属からなるブラシ毛および合成樹脂からなるブラシ毛素材は、たとえば、ダイヤモンド砥粒（天然および人工）、ナノダイヤモンド砥粒（天然および人工）、キュービックボロンナイトライド砥粒、アルミナ砥粒、シリコンカーバイト砥粒、ジルコニア砥粒、酸化クロム砥粒、ガーネット砥粒、エメリー砥粒、ガラス砥粒、ナノガラス砥粒、セラミック砥粒、ナノセラミック砥粒の中の少なくとも１種類を混入させ、たとえば、数本から数千本束ね、たとえば、バインダーによって固められている。
【００２６】
（第３発明）
第３発明のブラシ毛素材は、第１発明の砥粒にマイナスイオンを発生する部材が必要に応じて追加される。すなわち、第３発明の金属からなるブラシ毛および合成樹脂からなるブラシ毛の中に混入するマイナスイオンを発生する部材は、たとえば、サマリウム、ネオジウム、アルニコ、フェライト、トルマリン、麦飯石がある。
【００２７】
前記金属からなるブラシ毛および合成樹脂からなるブラシ毛に混入する前記マイナスイオンを発生する部材を含む砥粒、およびその他の砥粒の少なくとも１種類は、その混入量が１％ないし８０％、好ましくは、５％ないし３０％である。前記ブラシ毛に対する砥粒の混入量の比率は、１％より少ないと研磨用ブラシとならず、８０％以上であると、ブラシ毛としての成形ができなかったり、あるいは使用に耐えられない。前記ブラシ毛は、その太さや長さ、あるいは使用目的によっても、砥粒の混入量が決められる。
【００２８】
前記ブラシ毛素材または前記ブラシ毛によって作製された研磨用ブラシは、砥粒の大きさおよび混入量を変えることで、使用目的に適ったものが任意に得られるだけでなく、マイナスイオンを発生する部材等が入っているため、消臭または殺菌効果があるだけでなく、人体の健康によい影響を与えることができる。
【００２９】
（第４発明）
第４発明のブラシ毛素材は、各種砥粒の少なくとも１種類がコーティングされている金属からなるブラシ毛と、同じく各種砥粒の少なくとも１種類がコーティングされている合成樹脂からなるブラシ毛とを束ねて構成されている。前記各種砥粒は、たとえば、研磨砥粒、ダイヤモンド砥粒、金属砥粒がある。また、前記ブラシ毛の周りへのコーティングには、電着、溶着、メッキ処理、レーザーの打ち込み等がある。
【００３０】
（第５発明）
第５発明の金属および／または合成樹脂からなるブラシ毛の先端部には、球状、テーパー状、先割れ状、三角形状、四角形状、六角形状、八角形状、楕円形状の１つが成形されている。また、前記先端部には、マイナスイオンを発生する部材からなる砥粒、研磨砥粒、ダイヤモンド砥粒、金属砥粒の中の少なくとも１種類が混入またはコーティングされている。
【００３１】
（第６発明）
第６発明の金属および／または合成樹脂からなるブラシ毛の断面は、円形状、楕円形状、十字状、クローバ状、三角形状、四角形状、六角形状、八角形状、多角形状の１つからなる。第１発明ないし第５発明は、被研磨部材の形状に合ったブラシ毛素材となり、これらの形状や使用目的に合った研磨またはバリ取りが可能になる。
【００３２】
（第７発明）
第７発明の金属および／または合成樹脂からなるブラシ毛は、編まれて１本のブラシ毛素材となっている。前記ブラシ毛の編み方は、公知または周知のものがある。また、前記ブラシ毛は、マイナスイオンを発生する部材からなる砥粒、研磨砥粒、ダイヤモンド砥粒、金属砥粒の中の少なくとも１種類が混入されている。
【００３３】
（第８発明）
第８発明の金属および／または合成樹脂からなるブラシ毛は、編まれた１本が複数本、たとえば、数本から数千本、束ねられてブラシ毛素材を構成している。前記ブラシ毛素材は、マイナスイオンを発生する部材からなる砥粒、研磨砥粒、ダイヤモンド砥粒、金属砥粒の中の少なくとも１種類が混入されており、これらの少なくとも１種類が編まれて１本を構成し、前記編まれたブラシ毛が複数本束ねられる。
【００３４】
（第９発明）              
第９発明の金属および／または合成樹脂からなるブラシ毛には、動物繊維または植物繊維からなるブラシ毛の少なくとも１種類が混毛されているため、ブラシ毛素材の柔らかさ、あるいは硬さを混毛量で調整することができる。前記動物繊維には、たとえば、豚毛、馬毛、羊毛、狸毛等があり、前記植物繊維には、パキン、パーム等がある。
【００３５】
（第１０発明）        
第１０発明の金属および／または合成樹脂からなるブラシ毛素材は、複数本のブラシ毛がバインダーによって固められている。前記バインダーは、たとえば、エポキシ樹脂系接着剤、あるいは、ブラシ毛素材や混入する砥粒の種類により公知の接着剤から任意のものが選択される。
【００３６】
（第１１発明）
第１１発明の金属および／または合成樹脂からなるブラシ毛素材は、自己修復ブラシ毛、生分解性ブラシ毛、あるいは形状記憶ブラシ毛の中の少なくとも１つからなり、これらの中に研磨砥粒、金属砥粒、ダイヤモンド砥粒、およびマイナスイオンを発生する部材からなる砥粒の中の少なくとも１つが混入またはコーティングされている。
【００３７】
（第１２発明）
第１２発明の研磨ブラシは、金属および／または合成樹脂からなるブラシ毛素材を束ねて、その形状をチャネル型、植え込み型、ロール型、コイル型、カップ型、ねじり型、筒型、傘型、ホイール型、ディスク型とすることができる。前記形状は、被研磨部材の形状に合ったものを選択することができる。
【００３８】
（第１３発明）
第１３発明の研磨ブラシは、金属および／または合成樹脂からなるブラシ毛素材をバインダーで固めて板状、フィルム状、シート状、ディスク状、パイプ状の１つに成形される。前記研磨ブラシは、サンダー、サンダーベルト、サンダーバンド、ヤスリ等に適している。
【実施例１】
【００３９】
図１（イ）ないし（ニ）は本発明の第一実施例で、合成樹脂からなるブラシ毛と金属からなるブラシ毛が複数本束ねられた状態を説明するための図である。図１（イ）において、ブラシ毛素材１０は、合成樹脂からなるブラシ毛１０１と金属からなるブラシ毛１０２が複数本束ねられている。
【００４０】
図１（ロ）において、ブラシ毛１１１は、前記合成樹脂からなるブラシ毛１０１にダイヤモンド砥粒１１２が混入されている。また、ブラシ毛１１１′は、前記金属からなるブラシ毛１０２にダイヤモンド砥粒１１２が混入されている。ブラシ毛素材１１は、前記ブラシ毛１１１と前記ブラシ毛１１１′とが複数本束ねられている。
【００４１】
図１（ハ）において、ブラシ毛１２１は、前記合成樹脂からなるブラシ毛１０１に金属砥粒１２２が混入されている。また、ブラシ毛１２１′は、前記金属からなるブラシ毛１０２に金属砥粒１２２が混入されている。ブラシ毛素材１２は、前記ブラシ毛１２１と前記ブラシ毛１２１′とが複数本束ねられている。
【００４２】
図１（ニ）において、ブラシ毛１３１は、前記合成樹脂からなるブラシ毛１０１にダイヤモンド砥粒１１２および金属砥粒１２２が混入されている。また、ブラシ毛１３１′は、前記金属からなるブラシ毛１０２にダイヤモンド砥粒１１２および金属砥粒１２２が混入されている。ブラシ毛素材１３は、前記ブラシ毛１３１と前記ブラシ毛１３１′とが複数本束ねられている。
【００４３】
前記ブラシ毛１０１、１１１、１１１′、１２１、１２１′、１３１、１３１′は、必要に応じて、前記各種砥粒とともに、マイナスイオンを発生する部材、あるいは香料部材からなる砥粒を混入、あるいは周囲にコーティングさせることができる。前記マイナスイオンを発生する砥粒の基になる物質は、たとえば、サマリウム、ネオジウム、アルニコ、フェライト、トルマリン、麦飯石等がある。
【００４４】
前記ブラシ毛１０１、１１１、１１１′、１２１、１２１′、１３１、１３１′は、図示されていない、バインダー等によって固着することができる。前記バインダーは、公知または周知の接着剤等を採用することができる。また、前記ブラシ毛１０１、１１１、１１１′、１２１、１２１′、１３１、１３１′は、静電気防止剤等を混入させることができる。
【００４５】
また、前記ブラシ毛１０１、１１１、１１１′、１２１、１２１′、１３１、１３１′は、前記マイナスイオンを発生する砥粒以外に、たとえば、シリコンカーバイト、アルミナ、セラミックス、ジルコニア、ボロンカーバイト、酸化セリウム、硬質ガラス、水晶等の研磨部材、金、銀、銅、燐青銅、鉄、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の金属砥粒、さらに、天然または人工のダイヤモンド砥粒、天然石またはセラミックス、ガーネット、エメリー、硬質ガラス等の砥粒の１種または複数種が混入またはコーティングされる。
【００４６】
また、前記ブラシ毛を構成する合成樹脂は、たとえば、ポリアミド系合成高分子化合物、ポリエステル、ポリイミド、ポリモンド、ポリプロピレン、ポリスチン、ポリカーボネート、コーネクス、カーボンナノ繊維、ポリ塩化ビニル、ポリブチレン、ポリアート、ポリビニルグチラール、ボロンポリマー、コーネックス、ピーク、形状記憶樹脂素材、導伝性樹脂素材、自己修復樹脂素材、バイオ樹脂素材、再生樹脂素材等がある。
【実施例２】
【００４７】
図２は本発明の第二実施例であり、ブラシ毛の断面を説明するための図である。前記ブラシ毛１０１、１１１、１１１′、１２１、１２１′、１３１、１３１′の断面は、図２に示されている円形、三角形、四角形、多角形、楕円形、十字形、これらの変形等にすることができる。
【実施例３】
【００４８】
図３（イ）ないし（ニ）は本発明の第三実施例で、ブラシ毛の先端部の形状に係る発明である。図３（ロ）において、前記ブラシ毛は、その先端がテーパー状先端部３１として成形されている。図３（ハ）において、前記ブラシ毛は、その先端が球状先端部３２として成形されている。図３（ニ）において、前記ブラシ毛は、その先端が先割れ状先端部３３として、割れ目が成形されている。
【００４９】
そして、前記ブラシ毛は、複数本が束ねられて、図示されていない、バインダーによって接着され、図３（イ）に示されたブラシ毛素材１０となっている。前記ブラシ毛は、テーパーの太さや鋭さ、球形の大きさ、多角形、先割れ部等を変形させることができる。
【実施例４】
【００５０】
図４（イ）ないし（ホ）は本発明の第四実施例であり、合成樹脂からなるブラシ毛と金属からなるブラシ毛とを２本以上で編んだ例を説明するための図である。図４（イ）において、少なくとも２本の合成樹脂からなるブラシ毛素材と金属からなるブラシ毛とは、それぞれが編み込まれ、または組み込まれてブラシ毛素材４１となっている。前記ブラシ毛の編み方および本数は、異なるものであり、これらに、特に、限定されるものではない。
【００５１】
図４（ロ）において、芯材４２の周囲は、編み込まれた前記ブラシ毛素材４２１によって覆われている。図４（ハ）において、複数の芯材４３の周囲は、前記ブラシ毛素材４１によって巻き付けられている。図４（ニ）において、編み込まれたブラシ毛素材４１は、その周囲に被覆部材４４が施されている。
【００５２】
図４（ホ）において、複数の芯材４５には、前記ブラシ毛素材４５１によって束ねられている。図に示されたブラシ毛素材は、さらに、複数本が組み込まれて研磨用ブラシになる。
【実施例５】
【００５３】
図５（イ）ないし（ヌ）は本発明の第五実施例であり、合成樹脂からなるブラシ毛素材と金属からなるブラシ毛素材を並べまたは束ねた研磨用ブラシを説明するための図である。図５（イ）において、複数本の合成樹脂からなるブラシ毛素材と金属からなるブラシ毛素材５１は、所定の幅で直線状に並べられ、これらの根本部分を取り付け部材５１１によって、挟持するように取り付けられている。
【００５４】
図５（ロ）において、複数本の前記ブラシ毛素材５１は、放射状になるように円盤取り付け部材５１２に取り付けられて、ディスク状に成形されている。図５（ハ）において、複数本の前記ブラシ毛素材５１は、木製または合成樹脂製からなる取り付け軸５１３に植設されて円筒形に成形されている。
【００５５】
図５（ニ）において、複数本の前記ブラシ毛素材５１は、円盤５１４にほぼ垂直に植設されている。そして、前記円盤５１４の中心には、前記ブラシ毛素材５１の反対側に回転軸５１５が設けられている。図５（ホ）において、複数本の前記ブラシ毛素材５１は、円筒状に成形された研磨用ブラシが示されている。
【００５６】
図５（ヘ）において、複数本の前記ブラシ毛素材５１は、円盤状部材の周囲に放射状に取り付けられている。
【００５７】
図５（ト）において、複数本の前記ブラシ毛素材５１は、撚られ、前記撚られた部分の先端部を巻回することによって形成された巻回部５５１となっている。前記巻回部５５１は、円筒状部材の内部を研磨するのに都合が良い。
【００５８】
図５（チ）において、多数の前記ブラシ毛素材５１は、根本部分が取り付け部材５５２に取り付けられている。図５（リ）において、多数の前記ブラシ毛素材５１は、その根本の部分で取り付け部材５５３に束ねられている。前記取り付け部材５５３の１端には、回転軸５５４が設けられている。また、前記ブラシ毛素材５１は、ほぼ球状に成形されている。
【００５９】
図５（ヌ）において、複数本の前記ブラシ毛素材５１は、二股に分けられて取り付け部材５５５に取り付けられている。前記取り付け部材５５５は、根本に回転軸５５６が取り付けられている。
【００６０】
前記ブラシ毛素材は、バインダーにより、図示されていないシート状、フィルム状、所望の立方形状に成形される。あるいは前記シート状またはフィルム状に成形されたブラシ毛素材は、積層状あるいは円筒状に成形することもできる。
【産業上の利用可能性】
【００６１】
以上、本発明の実施例を詳述したが、本発明は、前記実施例に限定されるものではなく、特許請求の範囲に記載された事項を逸脱することがなければ、種々の設計変更を行うことが可能である。本発明は、前記実施例において示されていない形状であっても、公知または周知の研磨用ブラシに適用できることはいうまでもないことである。また、本発明は、ブラシ、砥粒等の大きさ、形状、材質、および混入比率等を使用目的により任意に選択できることはいうまでもないことである。
【００６２】
本発明のブラシ毛は、合成樹脂、金属、ダイヤモンド砥粒、金属砥粒、研磨砥粒、マイナスイオンを発生する部材からなる砥粒等を使用目的によって任意の量混入することができる。
【図面の簡単な説明】
【００６３】
【図１】（イ）ないし（ニ）は本発明の第一実施例で、合成樹脂からなるブラシ毛と金属からなるブラシ毛が複数本束ねられた状態を説明するための図である。（実施例１）
【図２】本発明の第二実施例であり、ブラシ毛の断面を説明するための図である。（実施例２）
【図３】（イ）ないし（ニ）は本発明の第三実施例で、ブラシ毛の先端部の形状に係る発明である。（実施例３）
【図４】（イ）ないし（ホ）は本発明の第四実施例であり、合成樹脂からなるブラシ毛と金属からなるブラシ毛とを２本以上で編んだ例を説明するための図である。（実施例４）
【図５】（イ）ないし（ヌ）は本発明の第五実施例であり、合成樹脂からなるブラシ毛素材と金属からなるブラシ毛素材を並べまたは束ねた研磨用ブラシを説明するための図である。（実施例５）
【符号の説明】
【００６４】
１０、１１、１２、１３・・・ブラシ毛素材
１０１、１１１、１２１、１３１、・・・合成樹脂からなるブラシ毛
１０２、１１１′、１２１′、１３１′・・・金属からなるブラシ毛
１１２・・・ダイヤモンド砥粒
１２２・・・金属砥粒
３１・・・テーパー状先端部
３２・・・球状先端部
３３・・・先割れ状先端部
４１、４５１・・・編まれたブラシ毛素材
４２、４３、４５・・・芯材
４２１・・・ブラシ毛素材
４４・・・被覆部材
５１・・・ブラシ毛素材
５１１・・・取り付け部材
５１２・・・円盤取り付け部材
５１３・・・取り付け軸
５１４・・・円盤
５１５、５５４、５５６・・・回転軸
５５１・・・巻回部
５５２、５５３、５５５・・・取り付け部材
【図１】
2005199364.tif 000003
【図２】
2005199364.tif 000004
【図３】
2005199364.tif 000005
【図４】
2005199364.tif 000006
【図５】
2005199364.tif 000007